(57)【特許請求の範囲】
【請求項１】
動画映像情報・音声情報に加え、再生表示中の動画像部分の動画映像位置座標に対応して予め設定した企業・団体のホームページのインターネット広告サイトのアドレス情報と映像位置座標からなる広告映像位置情報を備えた動画映像デジタル情報を動画映像として再生する再生装置であって、
前記広告映像位置情報を格納記憶する動画対応記憶部と、
再生中の動画映像に対応した広告映像位置情報を前記動画対応記憶部に格納記録し動画の進行に応じて広告映像位置情報を更新する広告映像位置情報更新手段と、
表示されている動画画面のクリック信号の入力に応答して広告映像位置情報を検索し、クリックされた動画位置座標に対応するインターネット広告サイトのアドレス情報を抽出する広告サイトアドレス検索手段と、
Ｗｅｂブラウザを起動しインターネットを介して動画映像に対応する広告サイトに接続し表示させる広告サイトリンク手段とを備えており、
前記広告サイトリンク手段は、動画映像と前記インターネット広告サイトの表示を同一画面に表示する画面分割表示手段と、表示されていた映像再生を中断して前記インターネット広告サイトの表示画面とする動画映像中断表示手段と、映像再生を継続し、検索して抽出された前記インターネット広告サイトの名称表示ボタンを映像再生画面に表示しインターネット接続を保留するリンク先記憶保留手段とを備え、前記それぞれの表示手段の画面では利用者がいずれかの表示方法に変更可能とする表示方法選択ボタンを備えることを特徴とする動画映像デジタル情報再生装置。
【請求項２】
インターネットに接続可能なデジタル放送受信装置、パーソナルコンピュータ、携帯電話を含む携帯端末機、ＧＰＳ装置を含む移動体端末装置又は、少なくともＣＤ−ＲＯＭ、ＤＶＤを含むデジタル情報再生装置の何れかであることを特徴とする請求項１記載の動画映像デジタル情報再生装置。
【請求項３】
前記広告サイトリンク手段は、予め定めた動画映像画面の座標位置に、動画映像デジタル情報を放送又はインターネットを介して配信する動画映像配信事業者のインターネットサイトに接続するクリック可能な映像サイト選択表示ボタンを備えることを特徴とする請求項１又は２記載の動画映像デジタル情報再生装置。
【請求項４】
前記広告サイトアドレス検索手段は、インターネット広告サイトの検索先・件数を記録し、インターネットを介して予め定めた期間毎に動画映像デジタル情報の生成事業者又は動画映像配信事業者に検索先・件数を通知するリンク実績通知手段を備え、動画映像デジタル情報の生成事業者又は動画映像配信事業者が前記インターネット広告サイトを開設する企業・団体に対して広告料を請求するためのリンク実績データを提供することを特徴とする請求項１又は２記載の動画映像デジタル情報再生装置。
【請求項５】
前記動画映像デジタル情報は、再生表示中の動画の音声に対応して予め設定したインターネット広告サイトのアドレス情報を備え、前記広告映像位置情報は音声を表わす音声表示映像の位置座標を備えることを特徴とする請求項１又は２記載の動画映像デジタル情報再生装置。
【請求項６】
前記広告映像位置情報は、再生表示中の動画面に複数設定可能であることを特徴とする請求項１又は２記載の動画映像デジタル情報再生装置。
【請求項７】
前記音声表示映像は、音声情報を表わす任意のマークであって、再生表示中の音声・音楽或いはその他の音に対応して予め設定した一つ又は複数のインターネット広告サイトのアドレス情報からなる広告映像位置情報を備えること特徴とする請求項５記載の動画映像デジタル情報再生装置。
【発明の詳細な説明】
【０００１】
【発明の属する技術分野】
本発明は、インターネットを介した広告サイト情報を組込んだ動画映像デジタル情報再生装置に関する。
【０００２】
【従来の技術】
動画映像情報はＴＶ放送やビデオテープなどで放送又は入力再生されていたが、高速且つ大量のデジタルデータを送受信することができる通信回線が実用化されることによって、インターネットを介して配信することが可能となった。いわゆるブロードバンド利用によりインターネットに接続可能な受信・入力再生装置で映像を配信することがなされている。従来、インターネットを介した情報提供では、画面上にバナー広告を表示させて、その広告収入で情報提供を無料とすることがなされていたが、動画情報ではバナー広告の表示が利用者に嫌われる問題があった。
【０００３】
また、テキストのコンテンツでは、利用者が関心を寄せる「文字情報」部分をクリッカブルとしてリンク情報を貼り付けることがなされていたが、映像情報ではなされていなかった。このため、映像情報の中に、利用者が感心のある画像・映像・音声が含まれていてもその再生中に従来の「文字情報」部分のクリックでリンク検索させることはできなかった。
【０００４】
このため、映像情報提供事業者は、映像情報の中間で広告映像を強制的に挿入（一般放送のＣＭや、ビデオテープの先頭のＣＭ映像など）するなどの方法がとられていた。このため利用者の関心がある商品・サービスを的確に閲覧させることが困難な問題があった。
【０００５】
【発明が解決しようとする課題】
本発明は、前述の問題に鑑みてなされたもので、表示されている動画画面のクリック信号の入力に応答して広告映像位置情報を検索し、クリックされた動画位置座標に対応するインターネット広告サイトのアドレス情報を抽出し、Ｗｅｂブラウザを起動しインターネットを介して動画映像に対応する広告サイトに接続し表示させる動画映像デジタル情報再生装置の提供を目的とする。
【０００７】
上記目的を達成するため、請求項１の動画映像デジタル情報再生装置は、動画映像情報・音声情報に加え、再生表示中の動画像部分の動画映像位置座標に対応して予め設定した企業・団体のホームページのインターネット広告サイトのアドレス情報と映像位置座標からなる広告映像位置情報を備えた動画映像デジタル情報を動画映像として再生する再生装置であって、前記広告映像位置情報を格納記憶する動画対応記憶部と、再生中の動画映像に対応した広告映像位置情報を前記動画対応記憶部に格納記録し動画の進行に応じて広告映像位置情報を更新する広告映像位置情報更新手段と、表示されている動画画面のクリック信号の入力に応答して広告映像位置情報を検索し、クリックされた動画位置座標に対応するインターネット広告サイトのアドレス情報を抽出する広告サイトアドレス検索手段と、Ｗｅｂブラウザを起動しインターネットを介して動画映像に対応する広告サイトに接続し表示させる広告サイトリンク手段とを備えており、前記広告サイトリンク手段は、動画映像と前記インターネット広告サイトの表示を同一画面に表示する画面分割表示手段と、表示されていた映像再生を中断して前記インターネット広告サイトの表示画面とする動画映像中断表示手段と、映像再生を継続し、検索して抽出された前記インターネット広告サイトの名称表示ボタンを映像再生画面に表示しインターネット接続を保留するリンク先記憶保留手段とを備え、前記それぞれの表示手段の画面では利用者がいずれかの表示方法に変更可能とする表示方法選択ボタンを備えることを特徴とする。
【０００８】
請求項１の発明では、入力された広告サイト情報を組込まれた動画映像デジタル情報から、広告映像位置情報を抽出し、画面をクリックされた信号の座標位置に相当するインターネット広告サイトのアドレス情報を検索してインターネット広告サイトを接続する。ここで動画対応記憶部は、デジタル情報再生装置のメモリー部の任意のアドレスを使用し、広告映像位置情報更新手段、広告サイトアドレス検索手段、広告サイトリンク手段はデジタル情報再生装置の再生ソフトに組込み起動させる。
【０００９】
請求項１の発明においては、Ｗｅｂブラウザを起動しインターネットを介して動画映像に対応する広告サイトに接続し表示させる。このため、映像位置座標と広告サイトアドレス情報がインターネットを介して高速大量回線（ブロードバンド通信網）利用により配信することができる。或いはデジタル放送を介して一括配信することができる。
【００１０】
また、請求項１の発明では、動画映像・音声に対応した商品・サービスの関係企業の広告サイトをリンクさせることができるため、利用者は、動画面の中の商品・サービスに購入希望・情報要求などの関心を持ったとき、動画を見ながら直ちに関係する企業・団体のホームページにある広告サイトに接続させることができる。接続されたその広告サイトが発注受付機能（Ｅ−コマース機能）を備えたサイトであれば、直ちに購入行為を行なうことができる。
【００１１】
さらに、請求項１の発明によれば、インターネット広告サイトの表示を利用者が任意に選択できると共に、表示方法を自由に変更することができる。このため、動画映像を継続したいときは、画面分割表示手段を選択し、インターネット広告サイトを先に見たいときは動画映像中断表示手段を選択し、動画映像が終了してからインターネット広告サイトを見たいときはリンク先記憶保留手段を選択することができる。また、それぞれの選択画面に、現在の表示方法以外の表示方法選択ボタンを備えることにより、利用者はいつでもその表示方法を変更させることができる。
【００１２】
請求項２の発明は、請求項１記載の動画映像デジタル情報再生装置であって、インターネットに接続可能なデジタル放送受信装置、パーソナルコンピュータ、携帯電話を含む携帯端末機、ＧＰＳ装置を含む移動体端末装置又は、少なくともＣＤ−ＲＯＭ、ＤＶＤを含むデジタル情報再生装置の何れかであることを特徴とする。
【００１３】
この発明によれば、動画映像デジタル情報をインターネットを介して受信する装置、放送を介して受信する装置、記憶媒体を介して入力する装置の何れかで本発明の広告サイト検索閲覧を行なうことができる。なお、画面のクリックは、マウスなどのポインティングデバイス、タッチパネルディスプレイ、または、テレビ・ビデオのリモートコントロール装置などで行なうことができる。
【００１４】
請求項３の発明は、請求項１又は２記載の動画映像デジタル情報再生装置であって、前記広告サイトリンク手段は、予め定めた動画映像画面の座標位置に、動画映像デジタル情報を放送又はインターネットを介して配信する動画映像配信事業者のインターネットサイトに接続するクリック可能な映像サイト選択表示ボタンを備えることを特徴とする。
【００１５】
この発明によれば、利用者は、動画映像配信事業者のインターネットサイトから、希望する動画映像番組を選択して配信を受けることができる。また、動画映像配信事業者は、作成した広告サイト情報組込み動画映像デジタル情報の番組を多くの利用者に配信することができる。
【００１６】
請求項４の発明は、請求項１または２記載の動画映像デジタル情報再生装置であって、前記広告サイトアドレス検索手段は、インターネット広告サイトの検索先・件数を記録し、インターネットを介して予め定めた期間毎に動画映像デジタル情報の生成事業者又は動画映像配信事業者に検索先・件数を通知するリンク実績通知手段を備え、動画映像デジタル情報の生成事業者又は動画映像配信事業者が前記インターネット広告サイトを開設する企業・団体に対して広告料を請求するためのリンク実績データを提供することを特徴とする。
【００１７】
この発明によれば、リンク実績データにより、広告サイトに課金を行なうことができる。従来のインターネット上のバナー広告では、リンク実績課金のために広告サイトがリンクの仲介サーバを備える必要があったが、本発明によれば、リンク実績を端末発信させることにより仲介サーバー設備をなくすることができる。さらに、広告サイト情報の動画映像組込み料金の課金について、基本料金と実績比例料金の課金とすることができる。
【００１８】
請求項５の発明は、請求項１又は２記載の動画映像デジタル情報再生装置であって、前記動画映像デジタル情報は、再生表示中の動画の音声に対応して予め設定したインターネット広告サイトのアドレス情報を備え、前記広告映像位置情報は音声を表わす音声表示映像の位置座標を備えることを特徴とする。
【００１９】
この発明によれば、動画映像の登場人物の会話や歌唱、バックグラウンドに流れる音楽など画像に現われない情報についても、その音楽の歌手・作曲家・作詞家・音楽事務所・レコードメーカーのインターネット広告サイトを検索接続させることができる。
【００２０】
請求項６の発明は、請求項１又は２記載の動画映像デジタル情報再生装置であって、前記広告映像位置情報は、再生表示中の動画面に複数設定可能であることを特徴とする。
【００２１】
この発明によれば、同一画面内の複数の商品・サービスに関する広告サイト情報を提供することができる。画面映像に登場する風景、ホテル・マンションなどの施設・不動産、車などの動産、登場人物、人物の帽子、履いている靴、着ている衣類などのそれぞれに、そのメーカーの広告サイト情報を備えることができる。このため、利用者は、関心のある映像を指定して検索閲覧することができる。例えば、画面映像の風景から観光地への旅行に関する広告サイトや、会場の画像からコンサートなどのイベントの予約や、登場人物の画像から登場人物のファンクラブサイトなどを検索閲覧することができる。
【００２２】
請求項７の発明は、請求項５記載の動画映像デジタル情報再生装置であって、前記音声表示映像は、音声情報を表わす任意のマークであって、再生表示中の音声・音楽或いはその他の音に対応して予め設定した一つ又は複数のインターネット広告サイトのアドレス情報からなる広告映像位置情報を備えること特徴とする。
【００２３】
この発明によれば、音声情報を表わす任意のマークを用いることにより、同一画面上の音声・音楽・その他の音を区別させることができる。例えば、音符マークの表示はバックグラウンドに流れるエンディングテーマ音楽を示し、唇マークは登場人物の歌う歌謡を示すなどにより、利用者の検索閲覧対象を特定させることができる。登場人物の歌う歌謡を示す唇マークをクリックした場合、歌手本人の広告サイトアドレス、レコード会社のＣＤの広告サイトアドレスなど複数のインターネット広告サイトのアドレス情報が表示され、その中から利用者が閲覧したいホームページを選択可能とすることができる。尚、登場人物の歌う歌謡は、登場人物の画像をクリックすることによりリンク可能にすることもできることは言うまでもない。
【００２６】
【発明の実施の形態】
以下、本発明の実施の形態を図に基づいて詳細に説明する。
【００２７】
図１は、本発明に用いる広告サイト情報組込み動画映像デジタル情報の構成を示す模式図である。（ａ）は広告サイト情報組込み動画映像デジタル情報１００を示す。（ｂ）は（ａ）の一画面データＡの広告映像位置情報３０の構成を示す模式図である。
【００２８】
図１（ａ）において、本発明の広告サイト情報組込み動画映像デジタル情報１００は、動画データ１０と、音声データ２０と、広告映像位置情報３０とから構成される。これらのデータは予め定められた規格による識別信号を付して多重化されて送信又は記録されている。規格については媒体により異なるが説明を省略する。時間軸に対して一画面（１コマ）部分を一画面データＡに示す。
【００２９】
図１（ｂ）は、（ａ）の一画面データＡの広告映像位置情報３０の構成を示す。広告映像位置情報３０は、映像座標位置３１と、その広告サイトアドレス３２と、その広告サイト名称・内容３３から構成される。同一画面内に複数の広告サイトアドレスを設定するときは、必要個数の３１ｎ，３２ｎ，３３ｎを連続して記録する。
【００３０】
映像座標位置３１は、画面の中の映像を特定する座標を示す。座標の指定は、その指定精度により様々な指定方法を行なうことができる。例えば、ｘ、ｙで示される点座標３１ａ、２点を示しその点を含む矩形範囲座標３１ｂ、円範囲座標３１ｃ、または、形状を示すアウトラインデータとその始点座標で示すアウトライン範囲座標３１ｄの何れを用いても良い。（図２参照）
【００３１】
図２は、映像座標位置指定の方法を示す。点座標３１ａは、一点を示し、その点座標に近いクリック信号に対応して広告サイトアドレスを検索させる場合の指定方法である。
矩形範囲座標３１ｂは、２点を結ぶ対角線を持つ矩形範囲内のクリック信号に対応して広告サイトアドレスを検索させる場合の指定方法である。
円範囲座標３１ｃは、２点を半径とする円範囲内のクリック信号に対応して広告サイトアドレスを検索させる場合の指定方法である。
アウトライン範囲座標３１ｄは、形状を示すアウトラインデータとその始点座標で示すアウトライン範囲内のクリック信号に対応して広告サイトアドレスを検索させる場合の指定方法である。
【００３２】
次に、動画映像デジタル情報再生装置の構成を説明する。図３は、動画映像デジタル情報再生装置５０に備える手段の構成を示す模式図である。
【００３３】
動画映像デジタル情報再生装置５０は、動画映像・音声再生手段５１と、広告映像位置情報更新手段５２と、広告サイトアドレス検索手段５３と、広告サイトリンク手段５４からなる処理プログラムと、動画対応記憶部５５とから構成される。
【００３４】
動画映像・音声再生手段５１は、入力された動画映像デジタル情報１００を映像信号・音声信号に変換して画面６０及び音声再生装置（図示せず）に出力する。
【００３５】
広告映像位置情報更新手段５２は、入力された動画映像デジタル情報１００から、広告映像位置情報３０を分離し、動画対応記録部５５に記録する。動画対応記録部５５の記録は、動画の進行に対応して更新される。すなわち、現在表示中の動画面に対応する広告映像位置情報が常に動画対応記録部５５に検索可能に格納されている。
【００３６】
広告サイトアドレス検索手段５３は、利用者が映像画面６０の任意の座標をクリックした信号に応答して、動画対応記憶部５５を検索し、広告映像位置情報３０（図１参照）の中からクリックされた座標を含む広告映像座標位置３１〜３１ｎ（図１参照）を抽出して、その広告サイトアドレス３２を取得する。
【００３７】
広告サイトリンク手段５４は、Ｗｅｂブラウザを起動し、インターネット９０を介して前記広告サイトアドレス検索手段５３で抽出された広告サイトアドレス３２（図１参照）を呼出して接続し画面６０に広告サイトを表示する。図において７０は企業・団体の広告サイトのサーバ、８０は動画映像デジタル情報の生成事業者又は動画映像配信事業者，９０はインターネットである。
【００３８】
前記広告サイトリンク手段５４は、動画映像表示と前記広告サイトの表示を同一画面に表示する画面分割表示手段５４ａと、表示されていた映像再生を中断して前記広告サイトの表示画面とする動画映像中断表示手段５４ｂと、映像再生を継続し、検索して抽出された前記広告サイトの名称表示ボタンを映像再生画面に表示しインターネット接続を保留するリンク先記憶保留手段５４ｃとを備え、前記それぞれの表示手段の画面では利用者がいづれかの表示方法に変更可能とする表示方法選択ボタンを備える。
【００３９】
図４は、前記各手段で表示される画面の模式図である。（ａ）は画面分割表示手段５４ａによる表示画面、（ｂ）は動画映像中断表示手段５４ｂによる表示画面、（ｃ）はリンク先記憶保留手段５４ｃによる表示画面の実施の形態である。
【００４０】
図４（ａ）は画面分割表示手段５４ａによる表示画面で、画面６０は、動画映像表示６１と広告サイト表示６２の２画面に分割表示された状態を示す。なお、複数の広告サイトをクリックした場合は、広告サイト表示６２が更に分割されて複数のサイトを表示する。また、画面には、動画映像配信事業者のインターネットサイトに接続する映像サイト選択表示ボタン６５と、表示方法を変更するための表示方法選択ボタン群６３が表示されている。
【００４１】
映像サイト選択表示ボタン６５を備えることにより、利用者は、動画映像配信事業者のインターネットサイトから、希望する動画映像番組を選択して配信を受けることができる。また、動画映像配信事業者は、作成した広告サイト情報組込み動画映像デジタル情報の番組を多くの利用者に配信することができる。
【００４２】
この画面で表示される表示方法選択ボタンは、図４（ｂ）画面を選択する広告サイト表示ボタン６３ｂと、図４（ｃ）画面表示を選択するリンク先保留ボタン６３ｃと、広告サイト表示停止ボタン６３ｄが表示されている。利用者はこれらのボタンをクリックすることにより表示方法を変更することができる。
【００４３】
図４（ｂ）は、動画映像中断表示手段５４ｂによる表示画面で、画面６０は、動画映像は再生が中断され広告サイト表示６２が全画面に表示される。又、画面下部には映像サイト選択表示ボタン６５と、表示方法を変更するための表示方法選択ボタン群６３が表示されている。ここで表示される表示方法選択ボタン群６３は、図４（ａ）画面を表示する分割表示ボタン６３ａと、リンク先保留ボタン６３ｃ、広告サイト表示停止ボタン６３ｄである。なお、画面全面に表示された広告サイト表示６２は、広告サイト表示停止ボタン６３ｄで動画映像表示６１画面に切替えることができる。この時、表示される画面は、中断時にさかのぼり表示されることが望ましいが、携帯端末（携帯電話機など）で、動画映像データの記憶容量に限りがある機器では、動画映像再開時の受信データ画面から表示再開される。
【００４４】
図４（ｃ）は、検索して抽出された前記広告サイトの名称表示ボタンを映像再生画面に表示しインターネット接続を保留するリンク先記憶保留手段５４ｃによる画面であり、画面６０は、動画映像表示６１が全面に表示され、画面下部には、映像サイト選択表示ボタン６５と、表示方法を変更するための表示方法選択ボタン群６３が表示され、さらに、選択された広告サイトの名称ボタン群６４が表示される。複数の広告サイトが選択されている場合広告サイトの名称ボタンは６４ａから６４ｎのように複数個表示される。
【００４５】
このため、広告サイトの表示を利用者が任意に選択できると共に、表示方法を自由に変更することができる。このため、動画映像を継続してみたいときは、画面分割表示手段を選択し、広告サイトを先に見たいときは動画映像中断表示手段を選択し、動画映像が終了してから広告サイトを見たいときはリンク先記憶保留手段を選択することができる。また、それぞれの選択画面に、現在の表示方法以外の表示方法選択ボタンを備えることにより、利用者はいつでもその表示方法を変更させることができる。
【００４６】
前記広告サイトの名称ボタン６４は、動画映像の再生が中断又は終了したとき、そのボタンをクリックすることにより広告サイトリンク手段５４を起動させて、広告サイトを接続表示することができる。
【００４７】
図５は、再生表示中の動画の音声に対応した広告サイトの音声表示の実施例を示す。
動画映像６１の任意の位置に音楽表示マーク６６ａや、音声表示マーク６６ｂを動画表示の邪魔にならないように表示する。この実施の形態では、バックグラウンドに流れる音楽を音符マークとし、登場人物の音声を唇マークで区別した形態を示している。
【００４８】
前記動画映像デジタル情報再生装置５０は、インターネットに接続可能なデジタル放送受信装置、パーソナルコンピュータ、携帯電話を含む携帯端末機、ＧＰＳ装置を含む移動体端末装置又は、少なくともＣＤ−ＲＯＭ、ＤＶＤを含むデジタル情報再生装置の何れかを用いて本発明の広告サイト検索閲覧を行なうことができる。なお、画面のクリックは、マウスなどのポインティングデバイス、タッチパネルディスプレイなどで行うことができる。
【００４９】
前記広告サイトリンク手段５４は、インターネット広告サイトの検索先・件数を記録し、インターネットを介して予め定めた期間毎に前記広告サイト情報組込み動画映像デジタル情報の生成事業者又は動画映像配信事業者８０に検索先・件数を通知するリンク実績通知手段５３ａを備え、動画映像デジタル情報の生成事業者又は動画映像配信事業者８０が前記広告サイトを開設する企業・団体に対して広告料を請求するためのリンク実績データを提供する（図３参照）。
【００５０】
このためリンク実績データにより、広告サイトに課金を行なうことができる。従来のインターネット上のバナー広告では、リンク実績課金のために広告サイトがリンクの仲介サーバを備える必要があったが、本発明によれば、リンク実績を端末発信させることにより仲介サーバ設備をなくすることができる。さらに、広告サイト情報の動画映像組込み料金の課金について、基本料金と実績比例料金の課金とすることができる。
【００５１】
【発明の効果】
請求項１の発明によれば、クリックされた信号の座標位置に相当するインターネット広告サイトのアドレス情報を検索してＷｅｂブラウザを起動し、インターネットを介して動画映像に対応する広告サイトに接続して表示させることができる。
【００５２】
また、動画映像・音声に対応した商品・サービスの関係企業の広告サイトをリンクさせることができるため、利用者は、動画面の中の商品・サービスに購入希望・情報要求などの関心を持ったとき、動画を見ながら直ちに関係する企業・団体のホームページにある広告サイトに接続させることができる。
【００５３】
さらに、インターネット広告サイトの表示を利用者が任意に選択できると共に、表示方法を自由に変更することができるため、動画映像を継続したいときは、画面分割表示手段を選択し、インターネット広告サイトを先に見たいときは動画映像中断表示手段を選択し、動画映像が終了してからインターネット広告サイトを見たいときはリンク先記憶保留手段を選択することができる。また、それぞれの選択画面に、現在の表示方法以外の表示方法選択ボタンを備えることにより、利用者はいつでもその表示方法を変更させることができる。
【００５４】
請求項２の発明によれば、動画映像デジタル情報をインターネットを介して受信する装置、放送を介して受信する装置、記憶媒体を介して入力する装置の何れかで本発明の広告サイト検索閲覧を行なうことができる。
【００５５】
請求項３の発明によれば、利用者は、動画映像配信事業者のインターネットサイトから、希望する動画映像番組を選択して配信を受けることができる。また、動画映像配信事業者は、作成した広告サイト情報組込み動画映像デジタル情報の番組を多くの利用者に配信することができる。
【００５６】
請求項４の発明によれば、リンク実績データにより、広告サイトに課金を行なうことができる。従来のインターネット上のバナー広告では、リンク実績課金のために広告サイトがリンクの仲介サーバを備える必要があったが、本発明によれば、リンク実績を端末発信させることにより仲介サーバー設備をなくすることができる。さらに、広告サイト情報の動画映像組込み料金の課金について、基本料金と実績比例料金の課金とすることができる。
【００５７】
請求項５の発明によれば、動画映像の登場人物の会話や歌唱、バックグラウンドに流れる音楽など画像に現われない情報についても、その音楽の歌手・作曲家・作詞家・音楽事務所・レコードメーカーのインターネット広告サイトを検索接続させることができる。
【００５８】
請求項６の発明によれば、同一画面内の複数の商品・サービスに関する広告サイト情報を提供することができる。画面映像に登場する風景、ホテル・マンションなどの施設・不動産、車などの動産、登場人物、人物の帽子、履いている靴、着ている衣類などのそれぞれに、そのメーカーの広告サイト情報を備えることができる。このため、利用者は、関心のある映像を指定して検索閲覧することができる。
【００５９】
請求項７の発明によれば、音声情報を表わす任意のマークを用いることにより、同一画面上の音声・音楽・その他の音を区別させることができる。例えば、音符マークの表示はバックグラウンドに流れるエンディングテーマ音楽を示し、唇マークは登場人物の歌う歌謡を示すなどにより、利用者の検索閲覧対象を特定させることができる。登場人物の歌う歌謡を示す唇マークをクリックした場合、歌手本人の広告サイトアドレス、レコード会社のＣＤの広告サイトアドレスなど複数のインターネット広告サイトのアドレス情報が表示され、その中から利用者が閲覧したいホームページを選択可能とすることができる。
【図面の簡単な説明】
【図１】本発明の広告サイト情報組込み動画映像デジタル情報の構成を示す模式図で、（ａ）広告サイト情報組込み動画映像デジタル情報の構成を示し、（ｂ）は（ａ）の一画面データＡの広告映像位置情報の構成を示す図である。
【図２】映像座標位置指定の方法を示す説明図である。
【図３】動画映像デジタル情報再生装置に備える手段の構成を示す模式図である。
【図４】本発明の広告サイトリンク手段で表示される画面の模式図であり、（ａ）は画面分割表示手段５４ａによる表示画面、（ｂ）は動画映像中断表示手段５４ｂによる表示画面、（ｃ）はリンク先記憶保留手段５４ｃによる表示画面の模式図である。
【図５】再生表示中の動画の音声に対応した広告サイトの音声表示の実施の形態を示す模式図である。
【符号の説明】
１０    動画データ
２０    音声データ
３０    広告映像位置情報
３１、３１ｎ    映像座標位置
３１ａ  点座標
３１ｂ  矩形範囲座標
３１ｃ  円範囲座標
３１ｄ  アウトライン範囲座標
３２    広告サイトアドレス
３３    広告サイト名称・内容
５０    動画映像デジタル情報再生装置
５１    動画映像・音声再生手段
５２    広告映像位置情報更新手段
５３    広告サイトアドレス検索手段
５４    広告サイトリンク手段
５４ａ  画面分割表示手段
５４ｂ  動画映像中断表示手段
５４ｃ  リンク先記憶保留手段
５５    動画対応記録部
６０    画面（表示画面）
６１    動画映像表示
６２    広告サイト表示
６３    表示方法選択ボタン群
６３ａ  分割表示ボタン
６３ｂ  広告サイト表示ボタン
６３ｃ  リンク先保留ボタン
６３ｄ  広告サイト表示停止ボタン
６４，６４ａ、６４ｎ  広告サイトの名称ボタン群
６５    映像サイト選択表示ボタン
６６，６６ａ、６６ｂ    音声表示マーク
７０    広告サイト
８０    動画映像デジタル情報の生成事業者又は動画映像配信事業者
９０    インターネット
１００    広告サイト情報組込み動画映像デジタル情報
【図１】
0003555083.tif 000002
【図２】
0003555083.tif 000003
【図３】
0003555083.tif 000004
【図４】
0003555083.tif 000005
【図５】
0003555083.tif 000006